(57)【特許請求の範囲】
【請求項１】
ＩＣカードと携帯型データ端末とデータ収集装置により構成される情報処理システムであって、つぎの事項（１）〜（５）により特定される。
（１）ＩＣカードの構成
プログラムされたマイコンと、不揮発性のデータメモリとを内蔵している。外部機器とのインタフェースとして、電気コンタクトを介して動作電源の供給を受けるとともにデータを入出力する接触式インタフェースと、外部から供給される電波をアンテナで受けて動作電源を獲得するとともに電波に乗せてデータを入出力する非接触式インタフェースの２系統を備える。
（２）携帯型データ端末の構成
プログラムされたマイコンと、このマイコンに付属するデータメモリと、キーボードと、表示パネルと、電源と、前記ＩＣカードが着脱自在に装着されるカード装着部と、装着された前記ＩＣカードの電気コンタクトに結合する接触式カードインタフェースとを備える。
（３）データ収集装置の構成
プログラムされたコンピュータ装置であり、前記携帯型データ端末を位置決めしてセットする端末装着部と、この装着部にセットされた携帯型データ端末に装着されているＩＣカードと前記非接触式インタフェースを介して無線接続する非接触式カードインタフェースとを備える。
（４）携帯型データ端末とＩＣカードとの連携
携帯型データ端末は、前記接触式カード装着部に装着されたＩＣカードを能動化し、所定のキー入力に従って当該ＩＣカードのデータメモリから所要のデータを取得してキー入力データとともに処理する。この処理過程で発生する経過データや処理結果として生成されたデータを表示出力するとともに前記生成データを前記データメモリに保存する。
（５）携帯型端末からデータ収集装置へのデータ転送
前記データ収集装置は、前記端末載置部に載置された携帯型データ端末に付帯しているＩＣカードと所定の通信手順を実行して無線接続状態を確立し、前記ＩＣカードを仲介手段として前記携帯型データ端末と交信する。前記携帯型データ端末が内部のデータメモリに保存してあるデータをＩＣカードへ転送する。前記ＩＣカードは、前記携帯端末から転送されてくる前記データをバッファリングしながら前記データ収集装置に転送する。前記データ収集装置は、前記ＩＣカードから転送されてくる前記データを受け取り、データ記憶部に格納する。
【請求項２】
請求項１記載の情報処理システムに使用される請求項１記載のＩＣカード。
【請求項３】
請求項１記載の情報処理システムに使用される請求項１記載の携帯型データ端末。
【請求項４】
請求項１記載の情報処理システムに使用される請求項１記載のデータ収集装置。
【請求項５】
請求項４において、前記データ記憶部に格納したデータの内容を印刷出力するためのプリンタを備えることを特徴とするデータ収集装置。
【請求項６】
請求項４または５において、外部のコンピュータ装置と接続してデータ通信するためのインタフェースを備えることを特徴とするデータ収集装置。
【発明の詳細な説明】
【０００１】
【発明の属する技術分野】
本発明は情報処理システムに関し、より具体的にはＩＣカードを仲介としてデータ転送を行う情報処理システムに関する。
【０００２】
【従来の技術】
情報提供者が情報利用者にデータを配布し、利用者がその配布データに基づいてデータ処理を実行し、その処理結果のデータを情報提供者が収集する。こういった情報処理形態の業務は多く存在する。例えば、つぎのような、商品の注文／受注サービスがある。これは、業者の販売員が所定の地域を巡回しながら顧客を訪ね、商品の注文を伺ったり、前回の巡回時に受注した商品を配達する業務である。この業務は、会員として登録された顧客に対して商品のカタログを郵送などによって前もって提供しておく。このカタログには各商品の写真や仕様などととともに商品を識別するためのバーコードが記載されている（このバーコードが配布されるデータである。）。業者の販売員などが巡回して来たとき、顧客は注文商品とその数量を指定する。業者は携帯型あるいは車載型のバーコードリーダー（ＯＣＲ）付き情報処理端末である注文データ収集装置を使用して顧客の注文に相当する注文データを収集する。すなわち、この収集装置でカタログ上のバーコードを入力し、注文数量をキー入力することで注文商品とその数量とを対応づけた注文データを作成してを内部のＲＡＭなどの記憶部に格納する。このようにして、多数の顧客からの注文データを収集していく。この一連の処理がデータ配布／収集処理に当たる。なお、収集された注文データは、商品の発送／配達や在庫管理などの処理を行うホスト装置などに適宜に転送され業務を遂行していく。
【０００３】
また、この商品注文／配達サービスとしては、バーコードを利用した形態の他に顧客自身が注文データを入力できる携帯型データ端末を使用する形態もある。これは、各顧客にカタログを提供するとともに数人の顧客毎に１台ずつ上記の携帯型データ端末を提供する。この端末には液晶パネルなどのディスプレイとカタログ上の全商品についての商品名、商品コード、単価などが対応づけられて記憶されている。顧客は、業者が受注に来る前に携帯型データ端末を使用してカタログに記載された商品のコードと注文数量を入力し、注文データを端末のデータ記憶部に保存させておく。このとき、顧客が入力した商品コードに対応する商品名をディスプレイに表示することで注文商品の確認ができるようになっている。そして、受注時に業者がデータ収集装置とこの携帯型端末とを適宜なインタフェースを介して接続して注文データを収集する。
【０００４】
【発明が解決しようとする課題】
上述のサービス形態において、バーコードによる注文データ入力にはバーコードを記載したカタログが必要となる。このカタログは、バーコードを確実に読みとれるようにするため、冊子ではなくシート状のカタログとなる。そのため、商品が多いとシートの数が増えて嵩張る。販売員がバーコードのシートを用意しておいてたとしても、目的の商品が探しにくいし、注文商品毎にバーコードを読み取っていたのでは迅速な受注サービスを提供することが難しい。
【０００５】
携帯型データ端末方式では、複数の顧客に１台が割り当てられるため、外出などによってある顧客が受注日までに注文データを入力できず注文をし損なうという場合がある。また、ある顧客がつぎの顧客に端末を手渡せない場合もあり得る。確かに、顧客１人１人に端末を提供しておけばよいのだが、顧客１人が注文する商品の数は少量であり、効率が悪い。さらに、カタログに掲載されている全商品についての商品名やコード、あるいは単価などを記憶しておくためのデータメモリと注文データを保存しておくためのデータメモリなど多くの記憶容量を必要とする。加えて、データ収集装置とのインタフェースなど複雑な機能を備える必要もあるから端末自体の単価も当然高いものとなる。したがって、この高価な端末を顧客一人一人に提供するのは収益上問題が多い。
【０００６】
ここで、本発明者は携帯可能でデータの保存や転送が可能であり、しかも安価な機器としてＩＣカードに着目した。ＩＣカードは、カード型の外形／サイズを有し、内部にＣＰＵ、ＲＡＭ、ＲＯＭを含むプログラムされたマイコンと、このマイコンに付属したデータメモリとを内蔵している。さらに、コンピュータなど外部の情報処理装置とのインタフェースを備えている。データメモリは、電源が供給されていない期間でもデータを保持する必要があることからＥＥＰＲＯＭなどの不揮発性タイプが使用される。インタフェースとしては接触式と非接触式がある。接触式はＩＣカード表面にパターニングされた電気的コンタクトを介して外部機器から動作電源の供給を受けるとともにデータの入出力を行う。非接触式は、電波を送受するアンテナがあり、電磁誘導などによって外部機器から動作電源を獲得する。そして、電波に乗せたデータを入出力する。これによって、ＩＣカードに記憶させたデータを他の情報処理装置で読み取って利用したりすることができる。なお、ＩＣカードには、どちらか一方のインタフェースを備えた接触型および非接触型に加え、両方のインタフェースを備えたハイブリッド型もある。
【０００７】
しかし、ＩＣカードを上述の情報提供／収集サービスなどに利用したとしても、ＩＣカードの不揮発性データメモリの容量は通常数ＫＢ程度である。そのため、ＩＣカード内に大量の返却データを保存させることはできない。大容量のデータメモリを採用すればＩＣカードのコストが高くなり、低価格であるＩＣカードの特徴を生かすことができなくなる。また、ＩＣカードにデータを書き込んだりデータを読み出したりする際には、その都度ＩＣカードを外部の情報処理装置に脱着して接続し直さなければならず面倒くさい。接触型ＩＣカードであれば、電気コンタクト部分が摩擦によって劣化してしまうという問題もある。さらに、システムを構成する情報処理装置の全てを使用するＩＣカードに整合したインタフェースを備えさせなければならず、汎用性に乏しい。もちろん、ハイブリッド型であればインタフェースの整合性を気にすることはない。しかし、上述の頻繁な着脱作業や記憶容量などの問題は依然残る。
このような問題点は、上述の注文／受注処理に限らず、データの配布／収集処理には必ず発生する。
【０００８】
そこで本発明は、データの配布と収集などに適用される情報処理システムであって、ハイブリッド型ＩＣカードの特性を十分に利用するとともに、安価にシステムを構成でき、データ入力作業などの業務を迅速に行うことができる情報処理システムを提供することを目的としている。
【０００９】
【課題を解決するための手段】
第１の発明は、ＩＣカードと携帯型データ端末とデータ収集装置により構成される情報処理システムであって、つぎの事項（１）〜（５）により特定される。
（１）ＩＣカードの構成
プログラムされたマイコンと、不揮発性のデータメモリとを内蔵している。外部機器とのインタフェースとして、電気コンタクトを介して動作電源の供給を受けるとともにデータを入出力する接触式インタフェースと、外部から供給される電波をアンテナで受けて動作電源を獲得するとともに電波に乗せてデータを入出力する非接触式インタフェースの２系統を備える。
（２）携帯型データ端末の構成
プログラムされたマイコンと、このマイコンに付属するデータメモリと、キーボードと、表示パネルと、電源と、前記ＩＣカードが着脱自在に装着されるカード装着部と、装着された前記ＩＣカードの電気コンタクトに結合する接触式カードインタフェースとを備える。
（３）データ収集装置の構成
プログラムされたコンピュータ装置であり、前記携帯型データ端末を位置決めしてセットする端末装着部と、この装着部にセットされた携帯型データ端末に装着されているＩＣカードと前記非接触式インタフェースを介して無線接続する非接触式カードインタフェースとを備える。
（４）携帯型データ端末とＩＣカードとの連携
携帯型データ端末は、前記接触式カード装着部に装着されたＩＣカードを能動化し、所定のキー入力に従って当該ＩＣカードのデータメモリから所要のデータを取得してキー入力データなどとともに処理する。この処理過程で発生する経過データや処理結果として生成されたデータなどを適宜に表示出力するとともに前記生成データを前記データメモリに保存する。
（５）携帯型端末からデータ収集装置へのデータ転送
前記データ収集装置は、前記端末載置部に載置された携帯型データ端末に付帯しているＩＣカードと所定の通信手順を実行して無線接続状態を確立し、前記ＩＣカードを仲介手段として前記携帯型データ端末と交信する。前記携帯型データ端末が内部のデータメモリに保存してあるデータをＩＣカードへ転送する。前記ＩＣカードは、前記携帯端末から転送されてくる前記データを適宜にバッファリングしながら前記データ収集装置に転送する。前記データ収集装置は、前記ＩＣカードから転送されてくる前記データを受け取り、適宜なデータ記憶部に格納する。
【００１０】
そして、上記情報処理システムに使用されるＩＣカードを第２の発明とし、上記情報処理システムに使用される携帯型データ端末を第３の発明とした。
また、上記情報処理システムに使用されるデータ収集装置をそれぞれ第４の発明とした。
第５の発明は、上記第４の発明において、記憶したデータの内容を印刷出力するためのプリンタを備えるデータ収集装置とした。
さらに、第４および第５の発明において、外部のコンピュータ装置と接続してデータ通信するためのインタフェースを備えたデータ収集装置を第６の発明とした。
【００１１】
【発明の実施の形態】
＝＝＝システムの構成＝＝＝
図１は、本発明の実施例における情報処理システムの概略を外観図として示している。この情報処理システム１は、ＩＣカード１０と携帯型データ端末３０およびデータ収集装置５０とを含んでいる。携帯型データ端末３０は手のひらサイズのケースの表面に液晶表示パネル（ＬＣＤ）３１とキーボード３２とを備えて小型電卓と同様の外観をなしている。さらに、ＩＣカード１０を着脱自在に装着してＩＣカード１０の電気的コンタクト１１と接続するためのカード装着部３３を備えている。データ収集装置５０はこの端末３０を位置を合わせて載置する端末装着部５３と、ＬＣＤ５１、キーボード５２、プリンタ５４などを一体的に備えている。
【００１２】
＝＝＝システムの構成要素＝＝＝
＜ＩＣカード＞
図２はＩＣカード１０の構成を示している。ＣＰＵ（以下、カードＣＰＵ）１２、ＲＡＭ（以下、カードＲＡＭ）１３、ＲＯＭ１４に加え、不揮発性のデータメモリとしてＥＥＰＲＯＭ１５、外部機器とのインタフェースとして接触式と非接触式の２系統のインタフェース１９、２０とを備えている。
【００１３】
ＥＥＰＲＯＭ１５は電源が供給されていないときでもデータを保持できる書き換え可能な不揮発性データメモリである。接触式インタフェース１９は電気的コンタクト（以下、コンタクト）１１とシリアルＩ／Ｏインタフェース１６とで構成される。コンタクト１１を介して外部の情報処理装置などと接続すると、その外部機器から動作電源の供給を受けるとともにデータ通信を行う。この接触式インタフェース１９の仕様はＩＳＯ７８１６規格に準拠している。
【００１４】
非接触式インタフェース２０は電波を送受信するためのコイル式のアンテナ１７とＲＦインタフェース１８とから構成されている。外部機器から電波に乗せたデータを受け取ると、その電波の電磁誘導によって電源を獲得する。そして、ＲＦインタフェース１８で電波に乗せたデータを復調する。また、ＲＦインタフェース１８で変調したデータをアンテナ１７を介して送出する。仕様はＩＳＯ／ＩＣＥ１４４４３、ＴＹＰＥ  Ａとして提案された規格に準拠している。もちろん、インタフェースの規格などは上述したものに限るものではない。
【００１５】
＜携帯型データ端末＞
図３は携帯型データ端末５０の構成を示している。電池などの電源（図示せず）を内蔵するとともに、ＣＰＵ（以下、端末ＣＰＵ）３３、ＲＡＭ（端末ＲＡＭ）３４、ＲＯＭ３５、および接触式カードインタフェース３６を含んで構成されている。また、ユーザインタフェースとしてキーボード３２とＬＣＤ３１とを備える。キーボードインタフェース３８はキー入力に従った適宜なコードを発生して端末ＣＰＵ３３に転送する。ＬＣＤドライバ３９は端末ＣＰＵ３３からの表示用データをＬＣＤ駆動信号に変換してＬＣＤ３１に与える。
【００１６】
接触式カードインタフェース３６はＩＣカード１０のコンタクト１１と接続するためのコネクタ３７を含み、ＩＣカード１０の接触式インタフェース１９に適合して電源の供給やデータ通信を行う。
【００１７】
＜データ収集装置の構成＞
図４はデータ収集装置５０の構成を示している。データ収集装置５０は外部電源あるいは内蔵電源によって作動するコンピュータ装置である。ＣＰＵ（以下、装置ＣＰＵ）５５、ＲＡＭ（以下、装置ＲＡＭ）５６、ＲＯＭ５７やＬＣＤ５１、キーボード５２、プリンタ５４などのデータ入出力用のユーザインタフェースを備えた通常のコンピュータの構成に加え、非接触式カードインタフェース５８を備えている。このインタフェース５８は、ＩＣカード１０の非接触式インタフェース２０と接続するためのＲＦインタフェース５９とアンテナ６０を備えている。このインタフェース５８を介してＩＣカード１０と接続すると、ＩＣカード１０に電源を供給して相互にデータ通信を行う。なお、Ｉ／Ｏインタフェース６５はＲＳ２３２ＣやＩｒＤＡなどの汎用の通信インタフェースである。
【００１８】
なお、本実施例ではデータ収集装置５０は一体型のケースに上述の構成要素が内蔵されているが、ノート型のパーソナルコンピュータなどのコンピュータ装置に非接触式カードインタフェースやプリンタなどを周辺装置として接続した形態としてもよい。
【００１９】
＝＝＝システムの運用例＝＝＝
上述の構成による情報処理システム１の利用例として、商品の注文／受注サービス業務に適用した注文データ処理システムについて取り上げる。注文データ処理システムは、顧客が注文した商品とその数量とを対応づけた注文データを適宜に処理することで、商品の配達や在庫管理に利用するためのシステムである。以下、この例に従って上記各構成要素間でのデータ転送などデータ処理の流れについて説明する。
【００２０】
＜準備＞
ここで想定される注文データ処理システムの運用形態は、まず、商品を販売する業者が会員登録した顧客にあらかじめカタログを配布しておく。カタログは同じ商品分類（食料品、日用雑貨など）に属する商品ごとに用意されている。１つのカタログには商品の説明（写真、仕様、単価など）と商品の識別用コード番号が記載されている。顧客は業者が受注の訪問に来る前までにこのカタログを見て注文する商品とその数量を決めておく。
【００２１】
一方、業者側では各商品分類別にＩＣカードを用意する。このＩＣカードは、ある商品分類のカタログに記載された内容に相当するカタログデータをＥＥＰＲＯＭに登録している。全種類のカタログについてのカタログデータは、注文データ処理システムの上位のコンピュータであるホスト装置に蓄積されている。
【００２２】
図５は、このカタログデータのＩＣカードへの登録処理におけるフローチャート（Ａ）とその登録処理時におけるＩＣカードとホスト装置との接続状態の構成を非接触式インタフェースによる接続形態を例として示している。ホスト装置６０は、ホスト装置６０のＩ／Ｏインタフェース６１とＩＣカード１０の非接触式インタフェース２０とを仲介してＩＣカード１０にデータを書き込んだりＩＣカードからのデータを転送したりするためのＩＣカード・リード／ライト装置７０を付属している。このＩＣカード・リード／ライト装置７０とＩＣカード１０とが無線接続することで、ある分類に属するカタログデータがＩＣカード１０のＥＥＰＲＯＭ１５に書き込まれる。
【００２３】
＜ＩＣカードと携帯型データ端末との連携＞（注文データ入力処理）
後日、受注業務を行う販売員が顧客を訪問する。この販売員はカタログデータが登録されたＩＣカード１０を全分類あるいはその一部の分類について用意し、データ端末３０とデータ収集装置５０とを携えている。販売員は、顧客の注文を聞くと、その注文商品が掲載されているカタログに対応するＩＣカード１０をデータ端末３０に装着して、注文データの入力作業を行う。
【００２４】
図６は、この注文データ入力時におけるカタログデータの転送と注文データの作成処理についてのフローチャート（Ａ）と、このときのデータ端末３０とＩＣカード１０との接続状態を内部構成図（Ｂ）として示している。ＩＣカード１０をデータ端末３０の装着部３３に装着すると、ＩＣカード１０のコンタクト１１とデータ端末３０のコネクタ３７とが結合される。所定のキー入力に従ってデータ端末３０がＩＣカード１０に動作電源を供給し、ＩＣカード１０が能動化する。そして、端末ＣＰＵ３３はカードＣＰＵ１２に対しＥＥＰＲＯＭ１５内のカタログデータをデータ端末３０へ転送するように指示する。カードＣＰＵ１２がカタログデータを接触式インタフェース１９を介して送出すると、端末ＣＰＵ３３は受け取ったカタログデータを端末ＲＡＭ３４へ格納する。
【００２５】
つぎに、販売員が顧客が注文した商品のコード番号をキー入力する。端末ＣＰＵ３３は端末ＲＡＭ３４内のカタログデータ中からこのコード番号に一致する商品名に相当するデータを取り出し、ＬＣＤ３１にその商品名を表示させる。もちろん、単価なども合わせて表示させるようにすることもできる。顧客あるいは販売員が表示された注文商品を確認する。間違いがなければ、確認のキー入力操作を行う。この入力操作を行うと、端末ＣＰＵ３３はＬＣＤ３１に注文数量を入力を促すメッセージを表示させる。注文数量を入力するとその数字がＬＣＤ３１に表示される。間違いがなければ確認の入力操作を行う。この一連の操作を終えると、注文した商品名とその数量をＬＣＤ３１に表示させるとともに、注文商品のコード番号と注文数量とを対応づけて注文データを作成する。そして、この注文データを端末ＲＡＭ３４に格納する。このようにして、複数の注文商品についての注文データを順次入力することで複数件の注文についての注文データが端末ＲＡＭ３４に蓄積されていく。
【００２６】
注文データは配送などの後処理に使用される。そのため、端末ＲＡＭ３４の残存容量が少なくなったり、異なる商品分類についての注文を受けるためにＩＣカード１０を装着し直したりする場合、端末ＲＡＭ３４に保存された注文データをデータ収集装置５０に転送する。つぎに、データ端末３０に保存された注文データをデータ収集装置５０に転送する処理について説明する。
【００２７】
なお、上述の利用例ではデータ端末３０は販売員が用意し、顧客を訪問したときにこの販売員が注文データの入力操作を行っているが、この利用形態に限るものではない。例えば、前もって顧客にカタログとデータ端末３０を配布しておいたり、あるいはデータ端末３０を顧客が所有する形態としたりすることで、顧客が販売員の訪問時までにあらかじめ注文データを入力しておくことも考えられる。
【００２８】
＜携帯型データ端末からデータ収集装置へのデータ転送＞（注文データの収集）
図７は、データ端末３０からデータ収集装置５０へ注文データを転送する処理におけるフローチャート（Ａ）と、データ端末３０とＩＣカード１０とデータ収集装置５０との接続態を内部構成図（Ｂ）として示している。
ＩＣカード１０を装着した状態でデータ端末３０をデータ収集装置５０の端末装着部５３に載置する。データ収集装置５０にて所定のキー入力操作を行うと装置ＣＰＵ５５とカードＣＰＵ１２はそれぞれの非接触式インタフェース６２、２０を介して所定の通信プロトコルを実行し、無線接続状態を確立する。この接続状態が確立されると、装置ＣＰＵ５５と端末ＣＰＵ３３とがＩＣカード１０を仲介として交信する。なお、ＩＣカード１０にはデータ端末３０からの電源が供給されることとしているが、データ収集装置５０がＩＣカード３０に動作電源を無線供給することとしてもよい。
【００２９】
装置ＣＰＵ５５が端末ＣＰＵ３３に対して端末ＲＡＭ３４内の注文データの送出を要求する。端末ＣＰＵ３３は端末ＲＡＭ３４から注文データを読み出し、ＩＣカード１０に向けて送出する。カードＣＰＵ１２は、接触式インタフェース１９を介して受け取った注文データをカードＲＡＭ１３に適宜にバッファリングしながら非接触式インタフェース２０を介して送出していく。装置ＣＰＵ５５は非接触式カードインタフェース５８を介して転送されてくる注文データを装置ＲＡＭ５６に格納する。さらに、プリンタ制御部６４に対し商品名と注文数量などの注文データの内容を印刷させるための指示を発行し、プリンタ５４に印刷出力させる。
【００３０】
データ収集装置５０にて収集した注文データはＩ／Ｏインタフェース６５を介してホスト装置６０などの上位の情報処理装置にアップロードされる。そして、商品の販売業務などの後処理のために適宜に利用される。
【００３１】
＝＝＝その他＝＝＝
本発明の情報処理システムの利用形態としては、上述の商品注文／受注サービスに限らず、様々な利用形態が考えられる。例えば、アンケートの質問事項などをＩＣカードに登録しておいて、その答えを携帯型データ端末で入力し、データ収集装置でその返答データを収集したりするなど、多くのデータの配布／収集処理に利用し得る。
【００３２】
【発明の効果】
ハイブリッド型のＩＣカードと、このカードと接触式インタフェースを介して接続する携帯型データ端末と、携帯型端末に装着したＩＣカードと非接触式インタフェースを介して接続するデータ収集機によって構成されることで、データの配布／収集処理において、ＩＣカードの着脱機会が少なく電気的コンタクトの劣化や頻繁な着脱作業をなくすことができる。したがって、迅速で軽快な操作によってデータ転送などの処理を行うことができる。
【００３３】
また、携帯型データ端末は、複雑な構成による汎用のＩ／Ｏインタフェースをもたないため安価となる。なお、汎用Ｉ／Ｏインタフェースをもたないことは携帯型データ端末の小型化にも寄与する。
【００３４】
携帯型データ端末に保存されたデータをデータ収集機に転送する際、ＩＣカードはバッファとしての仲介機能に使用されるため、ＩＣカードに大容量のデータメモリを備えさせる必要がない。そのため、ＩＣカードの単価も低く抑えることができる。その結果、システム全体も安価に構築することができる。
【図面の簡単な説明】
【図１】本発明の実施例における情報処理システムの外観図である。
【図２】上記実施例におけるＩＣカードの構成図である。
【図３】上記実施例における携帯型データ端末の構成図である。
【図４】上記実施例におけるデータ収集装置の構成図である。
【図５】ＩＣカードにデータを登録するときの概略図である。（Ａ）は上記実施例を商品の注文／受注処理に適用したときのデータ処理のフローチャートであり、（Ｂ）はＩＣカードとデータの登録処理を行うホスト装置との接続状態を内部構成図として示している。
【図６】上記実施例におけるＩＣカードと携帯型データ端末との連携の概略図である。（Ａ）は上記実施例を商品の注文／受注処理に適用したときのデータ処理のフローチャートであり、（Ｂ）はＩＣカードと携帯型データ端末との接続状態を内部構成図として示している。
【図７】上記実施例において、携帯型データ端末からデータ収集装置へのデータ転送処理の概略図である。（Ａ）は上記実施例を商品の注文／受注処理に適用したときのデータ転送処理のフローチャートであり、（Ｂ）は携帯型データ端末とＩＣカードとデータ収集装置との接続状態を内部構成図として示している。
【符号の説明】
１  情報処理システム
１０  ＩＣカード
１２  ＣＰＵ
１３  ＲＡＭ
１５  ＥＥＰＲＯＭ
１９  接触式インタフェース
２０  非接触式インタフェース
３０  携帯型データ端末
３３  ＣＰＵ
３４  ＲＡＭ
３６  接触式カードインタフェース
５０  データ収集装置
５５  ＣＰＵ
５６  ＲＡＭ
５８  非接触式カードインタフェース
【図１】
0004064535.tif 000002
【図２】
0004064535.tif 000003
【図３】
0004064535.tif 000004
【図４】
0004064535.tif 000005
【図５】
0004064535.tif 000006
【図６】
0004064535.tif 000007
【図７】
0004064535.tif 000008